(57)【要約】【課題】ポケット等から早急に取り出すことができ、簡単かつ確実に保持して操作することができる撮像装置を提供する。【解決手段】装置本体１１の四隅には、ストラップ２０が装着される装着部１２が設けられる。ユーザがストラップ２０の取付部２３を装着部１２に押し当て右または左に捻ることで、突起部２５、２７はガイド部１２ｂの内側に嵌め込まれる。さらに、爪部２６が穴１２ｃの位置に達すると、弾性体３１により周方向に突き出され、爪部２６が穴１２ｃに引っ掛かる。こうして固定されたストラップ２０は操作部１８を操作する際のグリップ部を兼ねる。また、ユーザは、押し込み操作部２４、２８を押し込みながらストラップ２０の取付部２３を右または左に捻ることで、ストラップ２０を装置本体１１から取り外す。【選択図】図９
2010139714.tif 000002
【特許請求の範囲】
【請求項１】
ストラップを装着可能な撮像装置であって、
被写体を撮像する撮像手段と、
前記撮像手段による撮像動作を指示するために操作される操作部と、
前記ストラップが前記撮像装置に装着される装着部とを有し、
前記装着部は、前記撮像装置の少なくとも１ヶ所に配置され、
前記装着されたストラップが前記操作部を操作する際のグリップ部となることを特徴とする撮像装置。
【請求項２】
前記装着部は、前記撮像装置の四隅にそれぞれ配置されたことを特徴とする請求項１記載の撮像装置。
【請求項３】
前記ストラップは、ストラップ本体と、前記ストラップ本体の端部が内側に嵌め込まれた取付部とを有することを特徴とする請求項１記載の撮像装置。
【請求項４】
前記取付部は先端部を有し、前記先端部には、前記取付部の中心から周方向へ突出した突起部が前記周方向の反対位置に２つ設けられ、
前記装着部は前記先端部が嵌合される凹部に形成され、前記凹部の内周側壁には、前記先端部が嵌合された状態で前記取付部が捻られることにより前記突起部が嵌め込まれるガイド部が形成されたことを特徴とする請求項１記載の撮像装置。
【請求項５】
前記先端部には、前記突起部に形成された溝に摺動する進退自在な爪部が設けられ、
前記ガイド部には、前記突起部が嵌め込まれる際、前記爪部と係合する穴が形成されたことを特徴とする請求項４記載の撮像装置。
【請求項６】
前記取付部には、前記爪部と一体に成形され、前記取付部の中心方向に押し込み自在な押し込み操作部が設けられ、
前記取付部の周方向の反対位置に２つ設けられた、前記爪部と前記押し込み操作部とからなる部材は、弾性部材を介して連結していることを特徴とする請求項５記載の撮像装置。
【請求項７】
前記取付部は、前記ストラップ本体に比べて硬い材質でできていることを特徴とする請求項１乃至６のいずれかに記載の撮像装置。
【発明の詳細な説明】
【技術分野】
【０００１】
本発明は、ストラップを装着可能な撮像装置に関する。
【背景技術】
【０００２】
従来、デジタルスチルカメラなどの撮像装置においては、撮影時のぶれを防止するため、撮影時に撮像装置を確実に保持する必要がある。このため、装置本体にグリップ用の突起を設ける等の工夫が施されている（特許文献１、２参照）。
【特許文献１】特開２００３−２４１２７７号公報
【特許文献２】特開２０００−１５２０５３号公報
【発明の開示】
【発明が解決しようとする課題】
【０００３】
しかしながら、上記従来の撮像装置では、装置本体にグリップ用の突起を設けた場合、撮像装置を確実に保持することが可能である反面、つぎのような問題があった。
【０００４】
すなわち、使用に際して撮像装置をポケット等から早急に取り出したい場合、グリップ用の突起がポケット等の布地に引っ掛かってしまい、素早く取り外すことができないという問題があった。また、ストラップを手繰ってから、グリップを握りなおす行為が面倒で煩わしいという問題もあった。
【０００５】
そこで、本発明は、このような従来の問題を解決するものであり、ポケット等から早急に取り出すことができ、簡単かつ確実に保持して操作することができる撮像装置を提供することを目的とする。
【課題を解決するための手段】
【０００６】
上記目的を達成するために、本発明の撮像装置は、ストラップを装着可能な撮像装置であって、被写体を撮像する撮像手段と、前記撮像手段による撮像動作を指示するために操作される操作部と、前記ストラップが前記撮像装置に装着される装着部とを有し、前記装着部は、前記撮像装置の少なくとも１ヶ所に配置され、前記装着されたストラップが前記操作部を操作する際のグリップ部となることを特徴とする。
【発明の効果】
【０００７】
本発明の請求項１に係る撮像装置によれば、装着されたストラップが、操作部を操作する際のグリップ部となるので、撮像装置を着実に保持することができる。また、撮像装置にグリップ用の突起を設ける必要がないので、グリップ用の突起がポケット等に引っ掛かることがなく、ポケット等から早急に取り出すことが可能となる。さらに、ストラップを手繰って行くとそのままグリップ部を握ることとなり、グリップを握り直す面倒がなく操作性に優れる。このように、撮像装置をポケット等から早急に取り出すことができ、簡単かつ確実に保持して操作することができる。
【０００８】
請求項２に係る撮像装置によれば、装着部が撮像装置の四隅に配置されたので、さまざまな取り付け方でストラップを撮像装置に装着することができ、種々の使用が可能である。
【０００９】
請求項３に係る撮像装置によれば、取付部近傍をグリップ部として使用することができる。
【００１０】
請求項４に係る撮像装置によれば、先端部が嵌合された状態で取付部を捻ることで突起部がガイド部に嵌め込まれるので、簡単な操作で取付部を装着部に固定することができる。
【００１１】
請求項５に係る撮像装置によれば、先端部の爪部がガイド部に形成された穴に係合するので、装着部に固定された取付部が不意に外れなくなる。
【００１２】
請求項６に係る撮像装置によれば、押し込み操作部を押しながら取付部を捻ることで、装着部から取付部が外れるので、取付部を取り外す際の操作性に優れるとともに、２つの動作を必要とし、装着部に固定された取付部が不意に外れなくなる。
【００１３】
請求項７に係る撮像装置によれば、取付部はストラップ本体と比べて硬い材質でできているので、グリップ部として頑丈なものにすることができる。
【発明を実施するための最良の形態】
【００１４】
本発明の撮像装置の実施の形態について図面を参照しながら説明する。本実施形態の撮像装置は、四隅にストラップ装着部（以下、装着部という）を有し、この装着部に装着されたストラップが操作部を操作する際のグリップ部となるような、デジタルスチルカメラに適用される。
【００１５】
図１は実施の形態における撮像装置の外観を示す正面図である。図２は図１の上方から視た撮像装置の外観を示す平面図である。図３は図１の下方から視た撮像装置の外観を示す底面図である。図４は図１の左側から視た撮像装置の外観を示す側面図である。図５は図１の右側から視た撮像装置の外観を示す側面図である。図６は図１の後方から視た撮像装置の外観を示す背面図である。
【００１６】
撮像装置１はレンズ鏡筒１０、操作部１８、表示パネル１６、装着部１２等を有する。装着部１２には、後述するように、ストラップ２０が装着される。図７はストラップの外観を示す図である。ストラップ２０はひも状のストラップ本体２１を有し、その両端には撮像装置１の装着部１２に取り付けられる取付部２３が設けられている。
【００１７】
図８は撮像装置１の全体構成を概略的に示すブロック図である。撮像装置１の装置本体（筐体）１１には、撮影光学系１０１が組み込まれたレンズ鏡筒１０や、撮影光学系１０１によって結像された被写体像を撮像するＣＣＤやＣＭＯＳセンサなどで構成された撮像素子１０３などを有する撮像部１００が設けられている。
【００１８】
また、撮像装置１は、撮像素子１０３から出力された撮像信号に基づいて画像データを生成して記憶媒体１０４に記録する画像処理部１０５、およびこの画像データを表示パネル１６に表示させる表示処理部１０７を有する。また、撮像装置１は、撮影光学系１０１の撮影倍率やフォーカス等を変化させる光学系駆動部１０８、各種の演算や制御処理を行うＣＰＵ１０９および操作部１８を有する。
【００１９】
操作部１８は、撮像動作などを指示するために操作されるものであり、シャッタボタン１８ａ、十字キー１８ｂ、回転ダイアル、複数の操作ボタンなどからなる。また、装置本体１１は、前述したように、その四隅に、ストラップ２０が装着される装着部１２を有する。このストラップ２０は、後述するように、操作部１８を操作する際のグリップ部を兼ねる。
【００２０】
図９は装置本体１１の装着部１２にストラップ２０の取付部２３が取り付けられた状態の撮像装置を示す斜視図である。図１０は先端側から視た場合のストラップ２０の取付部２３の構造を示す斜視図である。図１１は側方から視た場合のストラップ２０の取付部２３の構造を示す斜視図である。
【００２１】
取付部２３は、ストラップ本体２１の端部が内側に嵌め込まれた部材であり、合成樹脂、金属等の、ストラップ本体２１に比べて硬い材質でできている。また、取付部２３の先端部２３ａには、その中心から周方向へ突出した突起部２５、２７が周方向の反対位置に２つ設けられている。突起部２５、２７の取付部本体側の面には、それぞれ溝２５ａが形成されている。この溝２５ａに摺動するように、先端部２３ａの中心から周方向に進退自在である爪部２６、２９（図１２参照）が設けられている。
【００２２】
また、取付部２３の側面には、押し込み操作部２４、２８が周方向の反対位置に設けられている。２つの爪部２６、２９は、後述するように、それぞれユーザが押し込み操作部２４、２８を中心方向に押し込む操作に合わせて中心方向に引っ込むように構成されている。
【００２３】
図１２はストラップ２０の取付部２３の構造を示す断面図である。爪部２６と押し込み操作部２４は一体に成形されている。同様に、反対側の爪部２９と押し込み操作部２８も一体に成形されている。
【００２４】
爪部２６と押し込み操作部２４からなる部材は、反対側の爪部２９と押し込み操作部２８からなる部材と弾性体３１（弾性部材）を挟んで連結している。爪部２６と押し込み操作部２４からなる部材と爪部２９と押し込み操作部２８からなる部材は、ユーザによる押し込み操作がないときは、弾性体３１により周方向に突き出している。
【００２５】
図１３は装置本体１１に設けられた装着部１２近傍の外観を示す斜視図である。図１４は装着部１２の構造を拡大して示す図である。装着部１２は、ストラップ２０の取付部２３の先端部２３ａが嵌合するように、凹部に形成されている。装着部１２の内側には、切欠部１２ａおよびガイド部１２ｂが形成されている。切欠部１２ａは、ストラップ２０の取付部２３の突起部２５、２７より十分大きく切り欠いて形成されている。また、ガイド部１２ｂは、装着部１２の内周側壁に、切欠部１２ａを挟んで対向するように、対に形成されている。
【００２６】
ストラップ２０の取付部２３は、ユーザにより装着部１２に押し当てられ、押し当て方向を軸として右または左に捻られることで、突起部２５、２７が装着部１２内のガイド部１２ｂの内側に嵌め込まれる。
【００２７】
このとき、ガイド部１２ｂの外周側壁は、次第にその内径が小さくなるように形成されている（図中符号ｅ参照）ので、ストラップ２０の取付部２３がユーザにより捻られるに連れて、爪部２６、２９は次第に中心方向に押し込まれるようになる。
【００２８】
ガイド部１２ｂの外周側壁の中ほどには、穴１２ｃが形成されており、爪部２６がこの穴１２ｃの位置に達すると、弾性体３１により周方向に突き出される。そうすると、爪部２６が穴１２ｃに引っ掛かり、ユーザはそれ以上、ストラップ２０の取付部２３を捻ることができなくなる。これにより、ストラップ２０の取付部２３は、装着部１２に固定される。
【００２９】
一方、ユーザがストラップ２０を装置本体１１から取り外すためには、押し込み操作部２４、２８を押し込みながら、ストラップ２０の取付部２３を右または左に捻ることが必要である。つまり、ユーザが押し込み操作部２４、２８を押し込むことで、爪部２６、２９と穴１２ｃの係合が外れ、ストラップ２０の取付部２３を捻ることができるようになる。
【００３０】
このように、２つの異なる動作の組み合わせ操作が必要であることから、ユーザがストラップ２０を握っている時、不意に装置本体１１からストラップ２０が外れてしまうことは起きない。従って、ユーザが操作部１８を操作する際、ストラップ２０をグリップ部とすることができる。
【００３１】
つぎに、撮像装置１に装着されるストラップ２０の使用例を示す。図１５は撮像装置１の正面から見て装置本体１１の左下隅の１箇所にストラップ２０が装着された場合におけるストラップ２０の使用例を示す図である。同図（Ａ）は撮影者が撮像装置１をズボンのポケットから取り出す様子を示し、同図（Ｂ）は撮影者が撮像装置１を保持して撮影する様子を示す。
【００３２】
この場合、装置本体１１に装着されているストラップ２０の取付部２３とは反対側のストラップ２０の一端にある取付部は、例えばフックのような周知の係止部材でズボンのベルト通し穴などに係止されている。なお、反対側のストラップの一端には、取付部を設けることなく、フックのような係止部材が直接設けられてもよい。
【００３３】
装置本体１１は、使用前、ズボンのポケットなどに収納されている。撮影者は、ストラップ２０に指を引っ掛けて装置本体１１を取り出すと、そのままストラップ２０に沿って指を滑らせ、指が装置本体１１に当たったとき、またはその近傍で、ストラップ２０をグリップ部として撮像装置１を保持することができる。
【００３４】
このように、撮像装置１は、ストラップ２０が操作部を操作する際のグリップ部となるように構成されている。従って、撮影者は、ポケットから撮像装置１を容易に取り出して確実に保持することができ、操作部に対する操作を簡単に行うことができる。すなわち、装置本体からグリップ部を無くすことでポケット等からの取り出しが容易になるとともに、装置本体を確実に保持することができる。ここでは、装置本体１１の左下隅１ヶ所にストラップ２０が装着される場合を示したが、撮像装置１の装置本体１１の右下隅１ヶ所にストラップ２０が装着される場合も同様である。
【００３５】
図１６は撮像装置１の正面から見て装置本体１１の左・右下隅の２箇所にストラップが装着された場合におけるストラップ２０の使用例を示す図である。同図（Ａ）は撮影者が首に吊り下げられている撮像装置１を把持する様子を示し、同図（Ｂ）は撮影者が撮像装置１を保持して撮影する様子を示す。
【００３６】
この場合、装置本体１１は、ストラップ２０により、レンズ面が撮影者の胸部に触れる態勢で、逆さ向きに撮影者の首から吊り下げられている。撮影者はストラップ２０に指を引っ掛け、ストラップ２０に沿って指を滑らせる。そして、撮影者は、指が装置本体１１にあたったとき、またはその近傍で、ストラップ２０をグリップ部として、逆さ向きであった装置本体１１を起こすようにして、片手または両手で、撮像装置１を保持することができる。
【００３７】
このように、撮像装置１は、ストラップ２０が操作部を操作する際のグリップ部となるように構成されている。従って、撮影者は、首から吊り下げられている装置本体１１を起こして確実に保持することができ、操作部に対する操作を簡単に行うことができる。
【００３８】
図１７は撮像装置１の正面から見て装置本体１１の右上隅と左下隅の２箇所にストラップ２０が装着された場合におけるストラップ２０の使用例を示す図である。この場合、ストラップ２０は、撮影者の肩から腰にかけて、斜めに、いわゆる「たすきがけ」になっている。装置本体１１は、レンズ面を外側に向け、撮影者の胴部前側に着けられている。
【００３９】
撮影者は、腰部の近傍でストラップ２０に指を掛け、ストラップ２０に沿って指を滑らせ、指が装置本体１１に当たったとき、またはその近傍で、ストラップ２０をグリップ部として、撮像装置１を保持して操作することができる。
【００４０】
このように、ストラップを装着可能な撮像装置１は、ストラップ２０が操作部を操作する際のグリップ部となるように構成されている。従って、撮影者は、胴部前側に着けられた装置本体１１を把持し、操作部に対する操作を簡単に行うことができる。ここでは、装置本体１１の右上隅と左下隅の２箇所にストラップ２０が装着された場合を示したが、撮像装置１の装置本体１１の左上隅と右下隅の２箇所にストラップ２０が装着される場合も同様である。
【００４１】
以上示したように、本実施形態の撮像装置によれば、装着されたストラップが、操作部を操作する際のグリップ部となるので、撮像装置を着実に保持することができる。また、撮像装置にグリップ用の突起を設ける必要がないので、グリップ用の突起がポケット等に引っ掛かることがなく、ポケット等から早急に取り出すことが可能となる。さらに、ストラップを手繰って行くとそのままグリップ部を握ることとなり、グリップを握り直す面倒がなく操作性に優れる。このように、撮像装置をポケット等から早急に取り出すことができ、簡単かつ確実に保持して操作することができる。
【００４２】
また、装着部が撮像装置の四隅に配置されたので、さまざまな取り付け方でストラップを撮像装置に装着することができ、種々の使用が可能である。また、取付部近傍をグリップ部として使用することができる。また、先端部が嵌合された状態で取付部を捻ることで突起部がガイド部に嵌め込まれるので、簡単な操作で取付部を装着部に固定することができる。
【００４３】
また、先端部の爪部がガイド部に形成された穴に係合するので、装着部に固定された取付部が不意に外れなくなる。また、押し込み操作部を押しながら取付部を捻ることで、装着部から取付部が外れるので、取付部を取り外す際の操作性に優れるとともに、装着部に固定された取付部が不意に外れなくなる。また、取付部はストラップ本体と比べて硬い材質でできているので、グリップ部として頑丈なものにすることができる。
【００４４】
なお、本発明は、上記実施形態の構成に限られるものではなく、特許請求の範囲で示した機能、または本実施形態の構成が持つ機能が達成できる構成であればどのようなものであっても適用可能である。
【００４５】
例えば、上記実施形態では、撮像装置の正面から見て装置本体の上下左右の隅４ヶ所に装着部が設けられていたが、任意の少なくとも１ヶ所に設けられていてもよいことは勿論である。また、隅に限らず、機能上、支障の無い場所であれば、装着部は任意の箇所に設けられてもよい。
【００４６】
また、撮像装置の装着部、およびこれに取り付けられるストラップの取付部の構造は、本実施形態に限定されることなく、種々の構造のものを用いることが可能である。また、ストラップは、ストラップ本体と取付部との間に段差の無い、シームレスなものであってもよい。
【００４７】
また、上記実施形態では、コンパクトタイプのデジタルカメラを例に説明したが、本発明は、フイルムカメラ、デジタルビデオカメラ、デジタルＳＬＲ（一眼レフカメラ）等にも適用可能である。
【図面の簡単な説明】
【００４８】
【図１】実施の形態における撮像装置の外観を示す正面図である。
【図２】図１の上方から視た撮像装置の外観を示す平面図である。
【図３】図１の下方から視た撮像装置の外観を示す底面図である。
【図４】図１の左側から視た撮像装置の外観を示す側面図である。
【図５】図１の右側から視た撮像装置の外観を示す側面図である。
【図６】図１の後方から視た撮像装置の外観を示す背面図である。
【図７】ストラップの外観を示す図である。
【図８】撮像装置１の全体構成を概略的に示すブロック図である。
【図９】装置本体１１の装着部１２にストラップ２０の取付部２３が取り付けられた状態の撮像装置を示す斜視図である。
【図１０】先端側から視た場合のストラップ２０の取付部２３の構造を示す斜視図である。
【図１１】側方から視た場合のストラップ２０の取付部２３の構造を示す斜視図である。
【図１２】ストラップ２０の取付部２３の構造を示す断面図である。
【図１３】装置本体１１に設けられた装着部１２近傍の外観を示す斜視図である。
【図１４】装着部１２の構造を拡大して示す図である。
【図１５】撮像装置１の正面から見て装置本体１１の左下隅の１箇所にストラップ２０が装着された場合におけるストラップ２０の使用例を示す図である。
【図１６】撮像装置１の正面から見て装置本体１１の左・右下隅の２箇所にストラップが装着された場合におけるストラップ２０の使用例を示す図である。
【図１７】撮像装置１の正面から見て装置本体１１の右上隅と左下隅の２箇所にストラップ２０が装着された場合におけるストラップ２０の使用例を示す図である。
【符号の説明】
【００４９】
１  撮像装置
１２  装着部
１２ｂ  ガイド部
１２ｃ  穴
２０  ストラップ
２３  取付部
２３ａ  先端部
２４、２８  押し込み操作部
２５、２７  突起部
２６、２９  爪部
【図１】
2010139714.tif 000003
【図２】
2010139714.tif 000004
【図３】
2010139714.tif 000005
【図４】
2010139714.tif 000006
【図５】
2010139714.tif 000007
【図６】
2010139714.tif 000008
【図７】
2010139714.tif 000009
【図８】
2010139714.tif 000010
【図９】
2010139714.tif 000011
【図１０】
2010139714.tif 000012
【図１１】
2010139714.tif 000013
【図１２】
2010139714.tif 000014
【図１３】
2010139714.tif 000015
【図１４】
2010139714.tif 000016
【図１５】
2010139714.tif 000017
【図１６】
2010139714.tif 000018
【図１７】
2010139714.tif 000019